(57)【要約】【課題】利用者がＵＳＩＭを装着して使用している携帯電話機で使用可能な機能の世代情報を携帯電話通信網側が把握できるようになる世代情報通知方法、世代情報管理サーバ及び携帯電話機を提供する。【解決手段】ＵＳＩＭ１２２を装着して携帯電話機１０の使用を開始したときに、携帯電話機１０で利用可能な機能の世代情報を、利用者の情報と関連付けて携帯電話機１０から携帯電話通信網２００側へ送信する。携帯電話機１０の使用を開始したときに、上記世代情報に対応する暗号鍵情報を用いて、携帯電話通信網２００側へ送信するデータを暗号化した暗号化済みデータを、利用者の情報と関連付けて携帯電話機１０から携帯通信網２００側へ送信し、携帯電話通信網２００側の世代情報管理サーバ２０１において、受信した暗号化済みデータの復号化処理の結果に基づいて世代情報を抽出するとともに、世代情報を利用者の情報と関連付けて記録してもよい。【選択図】  図１
2005045418.tif 000002
【特許請求の範囲】
【請求項１】
利用者の情報を保存した利用者情報保存用の記録媒体を情報通信端末に装着して該情報通信端末の使用を開始したときに、該情報通信端末で利用可能な機能の世代情報を、該情報通信端末を使用する利用者の情報と関連付けて該情報通信端末から通信網側へ送信することを特徴とする情報通信端末の世代情報通知方法。
【請求項２】
利用者の情報を保存した利用者情報保存用の記録媒体を情報通信端末に装着して該情報通信端末の使用を開始したときに、該情報通信端末で利用可能な機能の世代情報に対応する暗号鍵情報を用いて、通信網側へ送信するデータを暗号化した暗号化済みデータを、該情報通信端末を使用する利用者の情報と関連付けて該情報通信端末から通信網側へ送信し、
該通信網側に設けられた世代情報管理サーバにおいて、該情報通信端末から受信した該暗号化済みデータの復号化処理の結果に基づいて該世代情報を抽出するとともに、該世代情報を該利用者の情報と関連付けて記録することを特徴とする情報通信端末の世代情報通知方法。
【請求項３】
請求項１又は２の情報通信端末の世代情報通知方法において、
上記情報通信端末の使用開始にあたって該情報通信端末に装着される上記利用者情報保存用の記録媒体が、それまで装着されていたものとは異なる別の利用者情報保存用の記録媒体に切り替わったことを検知した場合にのみ、上記世代情報又は上記暗号化済みデータの送信を行うことを特徴とする情報通信端末の世代情報通知方法。
【請求項４】
利用者の情報を保存した利用者情報保存用の記録媒体が着脱可能な情報通信端末の世代情報を管理する世代情報管理サーバであって、
該世代情報を記憶する情報記憶手段と、
情報通信端末から送信されてきた該情報通信端末で利用可能な機能の世代情報を、利用者の情報とともに受信する情報受信手段と、
該情報受信手段で受信した該世代情報を該利用者の情報と関連付けて該情報記憶手段に記録する情報記録手段とを備えたことを特徴とする世代情報管理サーバ。
【請求項５】
利用者の情報を保存した利用者情報保存用の記録媒体が着脱可能な情報通信端末の世代情報を管理する世代情報管理サーバであって、
該世代情報を記憶する情報記憶手段と、
該情報通信端末で利用可能な機能の世代情報に対応する暗号鍵情報で暗号化され利用者の情報と関連付けられて該情報通信端末から送信されてきた暗号化済みデータを受信する情報受信手段と、
該情報受信手段で受信した該暗号化済みデータの復号化処理の結果に基づいて該世代情報を抽出する情報抽出手段と、
該情報抽出手段で抽出した該世代情報を該利用者の情報と関連付けて該情報記憶手段に記録する情報記録手段とを備えたことを特徴とする世代情報管理サーバ。
【請求項６】
利用者の情報を保存した利用者情報保存用の記録媒体が着脱可能な情報通信端末であって、
利用者情報保存用の記録媒体が装着されて該情報通信端末の使用が開始されたときに、該情報通信端末で利用可能な機能の世代情報を、該情報通信端末を使用する利用者の情報と関連付けて通信網側へ送信する情報送信手段を備えたことを特徴とする情報通信端末。
【請求項７】
利用者の情報を保存した利用者情報保存用の記録媒体が着脱可能な情報通信端末であって、
利用者情報保存用の記録媒体が装着されて該情報通信端末の使用が開始されたときに、該情報通信端末で利用可能な機能の世代情報に対応する暗号鍵情報を用いて、通信網側へ送信するデータを暗号化した暗号化済みデータを、該情報通信端末を使用する利用者の情報と関連付けて該情報通信端末から通信網側へ送信する情報送信手段を備えたことを特徴とする情報通信端末。
【請求項８】
請求項６又は７の情報通信端末において、
上記利用者情報保存用の記録媒体の切り替わりを検知する検知手段と、
該情報通信端末の使用開始にあたって装着される該利用者情報保存用の記録媒体が、今まで装着されていたものとは異なる別の利用者情報保存用の記録媒体に切り替わったことを該検知手段で検知した場合にのみ、上記世代情報又は上記暗号化済みデータの送信を行うように制御する制御手段とを備えたことを特徴とする情報通信端末。
【請求項９】
請求項６又は７の情報通信端末において、
上記通信網側に設けられた利用者認証サーバで使用する利用者認証用の情報に、上記世代情報を付加して送信することを特徴とする情報通信端末。
【発明の詳細な説明】
【０００１】
【発明の属する技術分野】
本発明は、利用者情報保存用の記録媒体を装着して使用する携帯電話機等の情報通信端末の世代情報通知方法、世代情報管理サーバ及び情報通信端末に関する。
【０００２】
【従来の技術】
従来、この種の情報通信端末として、利用者情報保存用の記録媒体としてのＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）が着脱可能な携帯電話機が知られている（例えば、特許文献１参照）。このＵＳＩＭは例えばＩＣカードで構成され、携帯電話通信事業者から発行される。そして、ＵＳＩＭは、携帯電話機を利用する利用者の情報（利用者ＩＤや利用者に振られた電話番号）等が記録されている。このＵＳＩＭを複数の携帯電話機に対して挿し替えて使用することにより、それらの複数の携帯電話機を同じ契約者扱いで、しかも同じ電話番号で利用することができる。
また、携帯電話機は、その機能が変更されたり新しい機能が追加されたりすることで時代とともに進化している。このような情報通信端末の進化は「世代」という言葉を用いて表され、例えば第２世代の機能を使用可能な携帯電話機や、第３世代の機能を使用可能な携帯電話機などと呼ばれる。単に、第２世代の携帯電話機や第３世代の携帯電話機と呼ばれる場合もある。このように使用可能な機能の世代が異なる複数種類の携帯電話機が存在している状況下で、その携帯電話機の機能の世代に合わせて通信網側から提供する情報やサービスの種類を変えるＰｕｓｈ型のサービスを行いたい場合がある。
【０００３】
【特許文献１】
特開２００２−１３５４０７号公報
【０００４】
【発明が解決しようとする課題】
ところが、上記ＵＳＩＭを用いて、互いに異なる世代の機能を使用可能な複数種類の携帯電話機を同じ利用者が切り替えて使用する場合、利用者が現在使用している携帯電話機が、どのような世代の機能を使用可能な携帯電話機であるかの世代情報を、通信網側から知ることができなかった。そのため、携帯電話機で利用可能な機能の世代に合わせたＰｕｓｈ型のサービスを提供することができないという問題点があった。
【０００５】
本発明は以上の問題点に鑑みなされたものである。その目的は、利用者が利用者情報保存用の記録媒体を装着して使用している情報通信端末で使用可能な機能の世代情報を、通信網側が把握できるようになる情報通信端末の世代情報通知方法、世代情報管理サーバ及び情報通信端末を提供することである。
【０００６】
【課題を解決するための手段】
【０００７】
請求項１の情報通信端末の世代情報通知方法では、各利用者が情報通信端末を使用するときは、その利用者の情報を保存した利用者情報保存用の記録媒体を情報通信端末に装着する。この利用者情報保存用の記録媒体を装着して情報通信端末の使用を開始したときに、情報通信端末で利用可能な機能の世代情報を、その情報通信端末を使用する利用者の情報と関連付けて情報通信端末から通信網側へ送信する。この情報通信端末から利用者の情報と関連付けて送信されてきた世代情報を通信網側で受信することにより、利用者が利用者情報保存用の記録媒体を装着して現在使用している情報通信端末で利用可能な機能の世代情報を通信網側で把握することができる。
なお、この世代情報通知方法では、通信網側に設けられた世代情報管理サーバで、複数の利用者の情報通信端末から受信した世代情報を各利用者の利用者の情報と関連付けて記録してもよい。この場合は、各利用者の情報通信端末の世代情報を、利用者の情報と関連付けて世代情報管理サーバに記録することにより、複数の利用者が現在使用している情報通信端末の世代情報の一元管理が可能となる。
請求項２の情報通信端末の世代情報通知方法では、利用者情報保存用の記録媒体を装着して情報通信端末の使用を開始したときに、その情報通信端末で利用可能な機能の世代情報に対応する暗号鍵情報を用いて暗号化処理を行う。そして、この暗号鍵情報で暗号化した暗号化済みデータを、その情報通信端末を使用する利用者の情報と関連付けて情報通信端末から通信網側へ送信する。この情報通信端末から通信網側へ送信される暗号化済みデータは、情報通信端末の世代情報に対応した特定の暗号鍵情報でのみ復号化できるため、暗号化済みデータの復号化処理の結果に基づいて情報通信端末の世代情報を抽出できる。したがって、利用者が利用者情報保存用の記録媒体を装着して現在使用している情報通信端末で利用可能な機能の世代情報を通信網側で把握することができる。
さらに、この世代情報通知方法では、通信網側に設けられた世代情報管理サーバで、複数の利用者の情報通信端末から受信した暗号化済みデータの復号化処理の結果に基づいて各情報通信端末の世代情報を抽出する。この抽出した各利用者の情報通信端末の世代情報を、その情報通信端末を使用する利用者の情報と関連付けて世代情報管理サーバに記録することにより、複数の利用者が現在使用している情報通信端末の世代情報の一元管理が可能となる。
請求項３の情報通信端末の世代情報通知方法では、情報通信端末の使用開始にあたって情報通信端末に装着される利用者情報保存用の記録媒体が、それまで装着されていたものとは異なる別の利用者情報保存用の記録媒体に切り替わったことを検知した場合にのみ、上記世代情報又は上記暗号化済みデータの送信を行う。よって、利用者情報保存用の記録媒体の切り替わりがなかった場合、すなわち利用者が使用する情報通信端末で利用可能な機能の世代情報が変わらない場合に、上記世代情報等の不要な送信を回避できる。したがって、情報通信端末における世代情報を簡素化できるとともに、通信網の負荷の増加を抑制することができる。
なお、上記請求項２又は３の情報通信端末の世代情報通知方法においては、上記通信網側で利用者認証用の情報処理を行う利用者認証サーバを、上記世代情報管理サーバとして兼用してもよい。この場合は、世代情報管理サーバとして兼用する利用者認証サーバに対し、上記世代情報を利用者認証用の情報に付加して送信することができる。又は、利用者認証サーバに対し、上記暗号鍵情報で利用者認証用の情報を暗号化した暗号化済みデータを送信することができる。このように世代情報や暗号化済みデータを送信することにより、上記世代情報等の送信のためだけに通信回線を使用する必要がなくなる。したがって、情報通信端末における通信制御を簡素化できるとともに、通信網の負荷の増加を抑制することができる。
【０００８】
請求項４の世代情報管理サーバの情報記憶手段は上記世代情報を記憶する手段として用いることができる。また、同サーバの情報受信手段は、上記情報通信端末から送信されてきた世代情報を利用者の情報とともに受信する手段として用いることができる。また、同サーバの情報記録手段は、情報受信手段で受信した世代情報を、利用者の情報と関連付けて情報記憶手段に記録する手段として用いることができる。
請求項５の世代情報管理サーバの情報記憶手段は上記世代情報を記憶する手段として用いることができる。また、同サーバの情報受信手段は、世代情報に対応する暗号鍵情報で暗号化され利用者の情報と関連付けられて情報通信端末から送信されてきた暗号化済みデータを受信する手段として用いることができる。また、同サーバの情報抽出手段は、情報受信手段で受信した暗号化済みデータの復号化処理の結果に基づいて世代情報を抽出する手段として用いることができる。また、同サーバの情報記録手段は、情報抽出手段で抽出した世代情報を、利用者の情報と関連付けて情報記憶手段に記録する手段として用いることができる。
なお、上記請求項４又は５の世代情報管理サーバは、利用者認証用の情報処理を行う利用者認証サーバとして兼用してもよい。この場合は、世代情報管理サーバの情報記憶手段は、利用者認証用の情報を記憶する手段としても用いられる。また、同サーバの情報受信手段は、情報通信端末から送信されてくる利用者認証用の情報を受信する手段としても用いられる。更に、同サーバの情報記録手段は、情報受信手段で受信した利用者認証用の情報を情報記憶手段に記憶する手段としても用いられる。
【０００９】
請求項６の情報通信端末の情報送信手段は、利用者情報保存用の記録媒体が装着されて情報通信端末の使用が開始されたときに上記世代情報を送信する手段として用いることができる。すなわち、この情報送信手段は、情報通信端末の使用が開始されたときに、情報通信端末における世代情報を、その情報通信端末を使用する利用者の情報と関連付けて通信網側へ送信する手段として用いることができる。
請求項７の情報通信端末の情報送信手段は、利用者情報保存用の記録媒体が装着されて情報通信端末の使用が開始されたときに上記暗号化済みデータを送信する手段として用いることができる。すなわち、この情報送信手段は、情報通信端末の使用が開始されたときに、その情報通信端末で利用可能な機能の世代情報に対応する暗号鍵情報で暗号化した暗号化済みデータを、その情報通信端末を使用する利用者の情報と関連付けて情報通信端末から通信網側へ送信する手段として用いることができる。
請求項８の情報通信端末の検知手段は、上記利用者情報保存用の記録媒体の切り替わりを検知する。この検知により、利用者が使用する情報通信端末で利用可能な機能の世代情報が変わったことがわかる。また、同情報通信端末の制御手段は、上記世代情報等の送信を制御する手段として用いることができる。すなわち、この制御手段は、上記検知手段で利用者情報保存用の記録媒体の切り替わりを検知した場合にのみ、上記世代情報等の送信を行うように制御する手段として用いることができる。
請求項９の情報通信端末は、利用者認証用の情報に上記世代情報を組み込んで送信することにより、利用者認証サーバを世代情報管理サーバとして兼用できるようになる。
なお、上記請求項６又は７の情報通信端末においては、利用者認証用の情報を上記暗号鍵情報で暗合化したデータを、上記暗号化済みデータとして送信するようにしてもよい。この場合は、利用者認証サーバを世代情報管理サーバとして兼用できるようになる。
【００１０】
なお、上記「世代情報」は情報通信端末で使用可能な機能に対応した世代情報であり、例えば情報通信端末に組み込まれるアプリケーションソフトの世代の番号等である。
また、上記「情報通信端末」には、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機、ＰＨＳ（Ｐｅｒｓｏｎａｌ  Ｈａｎｄｙｐｈｏｎｅ  Ｓｅｒｖｉｃｅ）、自動車電話等の電話機のほか、携帯電話モジュールを付加した情報通信端末も含まれる。また、この「情報通信端末」は、上記携帯電話機などの移動型の情報通信端末でいいし、ディスクトップ型パーソナルコンピュータなどの固定型の情報通信端末であってもよい。
また、上記情報通信端末や上記利用者情報保存用の記録媒体における制御は、その情報通信端末や利用者情報保存用の記録媒体内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【００１１】
【発明の実施の形態】
以下、本発明の実施の形態を図面を参照しながら説明する。
〔実施形態１〕
図２は、本発明の実施形態における情報通信端末としての携帯電話機の概略構成図である。この携帯電話機の本体部分１００は、制御手段としての制御部１１１、データ記憶手段としての内部メモリ１１２、無線通信部１１３及びアンテナ１１４を備えている。また、制御部１１１には、音声処理部１１５を介してマイク１１６及びスピーカ１１７が接続され、画像処理部１１８を介して表示部１１９が接続され、更にキー操作部１２０が接続されている。
また、上記携帯電話機は、利用者情報保存用の記録媒体としてのＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）１２２が着脱可能に構成されている。
【００１２】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、後述のＵＳＩＭ１２２との間の情報の書込及び読出のための制御を行う制御手段としても用いられる。
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。
上記無線通信部１１４は制御部１１１で制御され、アンテナ１１４を介して、所定の通信方式により携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。この無線通信部１１４は上記制御部１１１とともに、携帯電話通信網２００に対して前述の世代情報等を送信する情報送信手段を構成している。
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００１３】
上記ＵＳＩＭ１２２は例えばＩＣカードで構成され、携帯電話機の図示しないＵＳＩＭスロットに対して着脱可能になっている。このＵＳＩＭ１２２は例えば携帯電話通信事業者から発行され、携帯電話機を利用する利用者（携帯電話機の契約者）の情報等が記録される。このＵＳＩＭ１２２を携帯電話機に装着することにより、その携帯電話機を所定の契約内容で使用することができる。また、このＵＳＩＭ１２２を複数の携帯電話機に対して挿し替えて使用することにより、それらの複数の携帯電話機を同じ契約者扱いで利用することができる。
また、上記ＵＳＩＭ１２２は、図２に示すようにＵＳＩＭ１２２内に記憶するデータの読み出し及び書き込みの制御などを行う制御手段としての制御部１２２ａと、データ記憶手段としてのメモリ１２２ｂとを備えている。このメモリ１２２ｂには、上記利用者の情報を記憶する利用者情報記憶領域等が設定されている。
【００１４】
図３は、本実施形態に係る世代情報通知方法を実施可能な世代情報処理システムの概略構成図である。この世代情報処理システムは、各携帯電話機１０と、各携帯電話機１０によるデータ通信や通話のための無線通信回線を含む携帯電話通信網２００と、その携帯電話通信網２００に設置された利用者認証サーバ２０１とを備えている。この利用者認証サーバ２０１は、各利用者が使用している携帯電話機１０の世代情報を管理する世代情報管理サーバとして兼用され、情報記憶手段と情報受信手段と情報記録手段とを備えている。情報記憶手段には、各利用者が使用する携帯電話機１０の世代情報が記録される。また、この情報記憶手段には、利用者の認証処理に用いる各利用者の識別ＩＤ及びパスワード等の認証情報も記録される。上記情報受信手段は、携帯電話機１０から送信されてきた世代情報を、利用者の情報とともに受信する。上記情報記録手段は、情報受信手段で受信した世代情報を、該情報通信端末を使用する利用者の情報と関連付けて情報記憶手段にデータベース化して記録する。
本世代情報処理システムにおいて、ＵＳＩＭ１２２を携帯電話機１０’から外して世代が異なる他の携帯電話機１０に装着した後、その新しい携帯電話機１０の電源をＯＮにして使用を開始する。この携帯電話機１０の使用を開始したときに、携帯電話機１０の世代情報が利用者の情報と関連付けられ利用者認証用の情報に組み込まれて携帯電話機１０から携帯電話通信網２００に設けた利用者認証サーバ２０１へ送信される。利用者認証サーバ１２１では、世代情報が組み込まれた利用者認証用の情報が受信され、各利用者の認証処理が実行されるとともに、利用者の情報と関連付けられて世代情報が記録される。このように世代情報を記録することにより、各利用者がＵＳＩＭ１２２を装着して現在使用している携帯電話機１０の世代情報を携帯電話通信網２００側で把握することができるようになる。
【００１５】
図４は利用者認証サーバ２０１のハードウェア構成の一例を示すブロック図であり、図５は利用者認証サーバ２０１の機能ブロック図である。
利用者認証サーバ２０１は、図４に示すように、システムバス２１０、ＣＰＵ２１１、ＲＡＭ２１２やＲＯＭ２１３等からなる内部記憶装置、ハードディスクドライブ（ＨＤＤ）や光ディスクドライブ等からなる外部記憶装置２１４、マウスやキーボード等からなる入力装置２１５、ディスプレイやプリンタ等からなる出力装置２１６、携帯電話通信網２００を介して各利用者の携帯電話機１０と通信するための携帯電話通信網用通信装置２１７を備えている。
上記利用者認証サーバ２０１においてＣＰＵ２１１やＲＡＭ２１２等の構成要素はお互いに、システムバス２１０を介して、データやプログラムの命令等のやり取りを行っている。この利用者認証サーバ２０１を所定の手順に従って動作させるためのプログラムはＲＯＭ２１３や外部記憶装置２１４に記憶されており、必要に応じてＣＰＵ２１１やＲＡＭ２１２上の作業エリアに呼び出されて実行される。
また、上記利用者認証サーバ２０１は１台のコンピュータシステムで構成してもいいし、複数のサーバ機能をそれぞれ受け持つ複数台のコンピュータを通信ネットワークで結んで構成してもよい。
【００１６】
利用者認証サーバ２０１は、図４に示したハードウェア上で所定のプログラムを実行することにより、図５に示す情報記憶手段２２１、情報受信手段２２２及び情報記録手段２２３の各機能の全て又は一部を実現している。また、この利用者認証サーバ２０１は、携帯電話通信網２００を介して各携帯電話機１０に情報を送信する情報送信手段の機能も実現可能に構成されている。
情報記憶手段２２１は、上記利用者認証サーバ２０１のハードディスク等からなる外部記憶装置２１４等を用いて構成されており、各利用者が現在使用している携帯電話機の世代情報を記憶している。また、情報記憶手段２２１は、各携帯電話機の利用者の認証に用いる利用者関連情報も記憶している。更に、情報記憶手段２２１は、各携帯電話機との間でデータを暗号化して送受信する場合は、そのデータの暗号化や復号化に用いる鍵情報なども記憶している。
情報受信手段２２２は、上記利用者認証サーバ２０１のＣＰＵ２１１、ＲＡＭ２１２、携帯電話通信網用通信装置２１７等により構成され、各携帯電話機１０から送信されてきた各携帯電話機１０の世代情報を利用者情報（利用者認証用の情報）とともに受信する機能を有している。
情報記録手段２２３は、上記利用者認証サーバ２０１のＣＰＵ２１１、ＲＡＭ２１２等により構成され、上記情報受信手段２２２で受信した世代情報を、利用者の情報と関連付けて上記情報記憶手段に記録する機能を有している。
【００１７】
図１は、各携帯電話機１０と利用者認証サーバ２０１との間における世代情報処理の一例を示すシーケンス図である。
まず、ＵＳＩＭ１２２を差し替えた後、携帯電話機１０の電源をＯＮすると、携帯電話機１０と携帯電話通信網２００のパケット交換機（ＳＧＳＮ：Ｓｅｒｖｉｎｇ  ＧＰＲＳ  Ｓｕｐｐｏｒｔ  Ｎｏｄｅ）との間でＡｔｔａｃｈのための認証処理が行われる。このパケット交換機（ＳＧＳＮ）は、携帯電話機１０の位置管理、セキュリティ管理やアクセス制御を行う。
【００１８】
次に、携帯電話機１０からパケット交換機（ＳＧＳＮ）に、ＰＤＰ（Ｐａｃｋｅｔ  Ｄａｔａ  Ｐｒｏｔｏｃｏｌ）によるパケットセッションの確立を要求するＰＤＰコンテキストセッション確立要求（Ａｃｔｉｖａｔｅ  ＰＤＰ  ｃｏｎｔｅｘｔ  Ｒｅｑｕｅｓｔ）が送信される。このＰＤＰコンテキストセッション確立要求には、携帯電話機で使用するアプリケーションの名前（ＡＰＮ）、利用者ＩＤ（Ｐｅｅｒ−ＩＤ）及び利用者のパスワード等の情報が含まれている。そして、これらの情報のうち利用者ＩＤ（Ｐｅｅｒ−ＩＤ）に、携帯電話機で使用可能な機能の世代情報として、その携帯電話機で使用可能なメール等のアプリケーションの世代番号が付加される。
例えば、図６のデータフォーマットに示すように、利用者ＩＤ（Ｐｅｅｒ−ＩＤ）のデータ領域の先頭に上記世代番号（世代バージョンの番号）の値がセットされる。この世代番号の後ろに、利用者認証用のユーザ固有データである暗号化された利用者ＩＤ（Ｐｅｅｒ−ＩＤ）のデータがセットされる。この図６の例の場合、上記世代番号は、上記暗号化された利用者ＩＤ（Ｐｅｅｒ−ＩＤ）のデータを復号化するためのキーとしても用いられる。
上記ＰＤＰコンテキストセッション確立要求を受けたパケット交換機（ＳＧＳＮ）は、携帯電話通信網２００内のドメインネームサーバ（ＤＮＳ）を参照し、携帯電話機に付与するＩＰアドレスを取得する。また、パケット交換機（ＳＧＳＮ）は、上位のパケット交換機（ＧＧＳＮ：Ｇａｔｅｗａｙ  ＧＰＲＳ  Ｓｕｐｐｏｒｔ  Ｎｏｄｅ）に対して、上記世代番号等を含む認証サーバアクセス要求のＰＤＰコンテキストを生成するためのＰＤＰコンテキスト生成要求（Ｃｒｅａｔｅ  ＰＤＰ  ｃｏｎｔｅｘｔ  Ｒｅｑｕｅｓｔ）を送信する。上位のパケット交換機（ＧＧＳＮ）は、世代情報管理サーバとして兼用されている利用者認証サーバ（ＲＡＤＩＵＳ：Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）２０１に対して、上記世代番号等を含む認証サーバアクセス要求（ＲＡＤＩＵＳ  Ａｃｃｅｓｓ  Ｒｅｑｕｅｓｔ）を送信する。
利用者認証サーバ２０１は、上記パケット交換機（ＧＧＳＮ）から受けた認証サーバアクセス要求（ＲＡＤＩＵＳ  Ａｃｃｅｓｓ  Ｒｅｑｕｅｓｔ）に基づき利用者認証を行う。更に、利用者認証サーバ２０１は、上記利用者認証とともに、その利用者が使用している携帯電話機における世代番号を利用者情報に関連付けて記録する。その後、認証サーバアクセス許可（ＲＡＤＩＵＳ  Ａｃｃｅｓｓ  Ａｃｃｅｐｔ）を返信する。
上記認証サーバアクセス許可（ＲＡＤＩＵＳ  Ａｃｃｅｓｓ  Ａｃｃｅｐｔ）を受けた上位のパケット交換機（ＧＧＳＮ）は、ＰＤＰコンテキスト生成応答（Ｃｒｅａｔｅ  ＰＤＰ  ｃｏｎｔｅｘｔ  Ｒｅｓｐｏｎｓｅ）をパケット交換機（ＳＧＳＮ）に送信する。このＰＤＰコンテキスト生成応答を受けたパケット交換機（ＳＧＳＮ）は、ＰＤＰコンテキストセッション確立許可（Ａｃｔｉｖａｔｅ  ＰＤＰ  ｃｏｎｔｅｘｔ  Ａｃｃｅｐｔ）を、携帯電話機１０に送信する。このＰＤＰコンテキストセッション確立許可には、その携帯電話機に割り振られたＩＰアドレスと、プライマリーＤＮＳサーバ及びセカンダリーＤＮＳサーバのアドレスとが付加される。
以上の通信処理により、携帯電話機１０と携帯電話通信網２００との間で、ＰＤＰによるパケットセッションが確立され、携帯電話機１０からパケット通信によるメール等のサービスを受けることができるようになる。そして、携帯電話通信網２００側において、利用者の使用している携帯電話機１０における世代情報を把握できる。
【００１９】
なお、上記ＰＤＰによるパケットセッションを確立して世代通知処理を行った後は、無駄なセッションが携帯電話通信網２００に残らないように、携帯電話機１０からパケット交換機（ＳＧＳＮ）に、ＰＤＰによるパケットセッションの開放を要求するＰＤＰコンテキストセッション開放要求（Ｄｅａｃｔｉｖａｔｅ  ＰＤＰ  ｃｏｎｔｅｘｔ  Ｒｅｑｕｅｓｔ）が送信される。このＰＤＰコンテキストセッション開放要求を受けたパケット交換機（ＳＧＳＮ）は、上位のパケット交換機（ＧＧＳＮ）に対して、上記生成されているＰＤＰコンテキストを削除するためのＰＤＰコンテキスト削除要求（Ｄｅｌｅｔｅ  ＰＤＰ  ｃｏｎｔｅｘｔ  Ｒｅｑｕｅｓｔ）を送信する。ＰＤＰコンテキスト削除要求を受けたパケット交換機（ＧＧＳＮ）は、下位のパケット交換機（ＳＧＳＮ）に対して、ＰＤＰコンテキスト削除応答（Ｄｅｌｅｔｅ  ＰＤＰ  ｃｏｎｔｅｘｔ  Ｒｅｓｐｏｎｓｅ）を送信する。このＰＤＰコンテキスト削除応答を受けたパケット交換機（ＳＧＳＮ）は。ＰＤＰコンテキストセッション開放許可（Ｄｅａｃｔｉｖａｔｅ  ＰＤＰ  ｃｏｎｔｅｘｔ  Ａｃｃｅｐｔ）を、携帯電話機１０に送信する。以上の通信処理により、携帯電話機１０と携帯電話通信網２００との間に確立されていたセッションを開放することができる。
【００２０】
以上、本実施形態によれば、利用者がＵＳＩＭ１２２を装着して使用している携帯電話機１０で利用可能な機能（アプリケーション）の世代番号を通信網側で把握できるようになる。
また、本実施形態によれば、複数の利用者が現在使用している各携帯電話機で利用可能な機能（アプリケーション）の世代情報を世代情報管理サーバ２０１で一元管理できる。
また、本実施形態によれば、上記世代情報管理サーバ２０１として利用者認証サーバが兼用されているので、上記世代番号の送信のためだけに通信回線を使用する必要がなくなる。したがって、携帯電話機１０における通信制御を簡素化できるとともに、携帯電話通信網２００の負荷の増加を抑制することができる。
【００２１】
なお、上記実施形態においては、携帯電話機１０における世代番号を利用者認証用の情報に組み込んで送信しているが、利用者認証用の情報を、世代番号に対応付けられた暗号鍵情報で暗号化し、この暗号化済みデータを送信するようにしてもよい。この場合、世代番号に対応付けられた暗号鍵情報が予め携帯電話機１０の内部メモリ１１２に記憶されている。
図７は、上記暗号化済みの利用者認証用の情報を受信し、世代番号を登録することができる利用者認証サーバ２０１の機能ブロック図である。この利用者認証サーバ２０１は、前述の図４に示したハードウェア上で所定のプログラムを実行することにより、情報記憶手段２２１、情報受信手段２２２、情報記録手段２２３及び情報抽出手段２２４の各機能の全て又は一部を実現している。また、この利用者認証サーバ２０１は、携帯電話通信網２００を介して各携帯電話機１０に情報を送信する情報送信手段の機能も実現可能に構成されている。
図７の利用者認証サーバ２０１における各手段のうち情報記憶手段２２１、情報受信手段２２２及び情報記録手段２２３は、図５に示す実施形態の場合と同様な機能を有している。また、情報抽出手段２２４は、情報受信手段２２２で受信した暗号化済みデータの復号化処理の結果に基づいて、世代番号を抽出する機能を有している。この世代番号の抽出は、例えば複数種類の暗号鍵情報のそれぞれを用いて暗号化済みデータの復号化を試みる。そして、利用者認証用の情報を正しく復号化できた暗号鍵情報に対応する世代番号を、その携帯電話機における世代番号として抽出する。この抽出された世代番号は、利用者の情報と関連付けて情報記憶手段２２３に記録される。
この場合は、セキュリティ確保のために行っていた利用者認証用の情報の暗号化を、世代番号通知に利用しているため、利用者認証用の情報に世代番号のデータを付加する処理が不要になり、携帯電話機におけるデータ処理の制御が簡易になる。
【００２２】
なお、上記各実施形態において、上記利用者認証用の情報への世代情報の組み込み処理や上記世代情報の登録処理は、携帯電話機に装着されるＵＳＩＭ１２２の切り替わりを検知した場合にのみ行うようにしてもよい。この場合は、利用者が使用する携帯電話機における世代番号が変わらないときに、携帯電話機１０からの世代番号の不要な送信処理や、利用者認証サーバ２０１における世代番号の不要な登録処理を回避できる。したがって、携帯電話機１０や利用者認証サーバ２０１における不要なデータ処理を回避できるとともに、携帯電話通信網２００の負荷の増加を抑制することができる。
上記携帯電話機に装着されるＵＳＩＭ１２２の切り替わりは、次のように検知することができる。例えば、携帯電話機１０における世代関連情報としての製造番号を記憶するデータ記憶領域を設定しておき、携帯電話機１０にＵＳＩＭ１２２を装着して電源をＯＮしたとき、ＵＳＩＭ１２２に記憶されている製造番号（ＯＬＤ）と携帯電話機１０の製造番号（ＮＥＷ）とを比較する。この比較の結果、両製造番号が異なる場合は、ＵＳＩＭ１２２の着脱があり、その携帯電話機に装着されるＵＳＩＭ１２２が切り替わったとみなされる。このようにＵＳＩＭの挿し替わりが検知された場合に、利用者が使用する携帯電話機が変更になったと判断され、前述のように携帯電話通信網２００に対して世代番号を通知する処理を行うようにする。
【００２３】
なお、上記各実施形態では、情報通信端末が携帯電話機の場合について説明したが、本発明は、上記ＵＳＩＭ１２２などの利用者情報保存用の記録媒体が着脱可能なものであれば、携帯電話機以外の情報通信端末の場合にも適用できるものである。
【００２４】
【発明の効果】
請求項１乃至９の発明によれば、利用者が利用者情報保存用の記録媒体を装着して使用している情報通信端末で利用可能な機能の世代情報を通信網側が把握できるようになるという効果がある。
特に、請求項２及び５の発明によれば、複数の利用者が現在使用している情報通信端末で利用可能な機能の世代情報を世代情報管理サーバで一元管理できるようになるという効果がある。
特に、請求項３及び８の発明によれば、利用者が使用する情報通信端末の世代情報が変わらない場合に世代情報等の不要な送信を回避できる。したがって、情報通信端末や世代情報管理サーバにおける不要なデータ処理を回避できるとともに、通信網の負荷の増加を抑制することができるという効果がある。
特に、請求項９の発明によれば、上記世代情報等の送信のためだけに通信回線を使用する必要がなくなるので、情報通信端末における通信制御を簡素化できるとともに、通信網の負荷の増加を抑制することができるという効果がある。
【図面の簡単な説明】
【図１】本発明の実施形態に係る携帯電話機と利用者認証サーバとの間における世代情報処理の一例を示すシーケンス図。
【図２】同携帯電話機の概略構成図。
【図３】実施形態に係る世代情報通知方法を実施可能な世代情報処理システムの概略構成図。
【図４】実施形態に係る利用者認証サーバのハードウェア構成の一例を示すブロック図。
【図５】同利用者認証サーバの機能ブロック図。
【図６】利用者認証サーバに送信する利用者ＩＤ（Ｐｅｅｒ−ＩＤ）のデータフォーマットの説明図。
【図７】他の実施形態に係る利用者認証サーバの機能ブロック図。
【符号の説明】
１０  携帯電話機（情報通信端末）
１００  携帯電話機の本体部分
１１１  制御部
１２２  ＵＳＩＭ（利用者情報保存用の記録媒体）
２００  携帯電話通信網
２０１  利用者認証サーバ（世代情報管理サーバ）
【図１】
2005045418.tif 000003
【図２】
2005045418.tif 000004
【図３】
2005045418.tif 000005
【図４】
2005045418.tif 000006
【図５】
2005045418.tif 000007
【図６】
2005045418.tif 000008
【図７】
2005045418.tif 000009